(57)【要約】 【課題】  従来の梱包ケースでは、構成するパイプそのものに嵌合のための穴あけ・加工を必要とする。また、構成するパイプの種類・太さが使用箇所で異なるため、複数のパイプ部材を発注する必要があり、その分作成費用・時間をかかっていた。【解決手段】  底板１および天板２は同径のパイプを連結金具４で連結して枠を形成する。また、同径の底板支柱パイプ１ｃ天板支柱パイプ２ｃとの間に支柱パイプ５を連結するとともに同径の補助パイプ６をフック７を介して底板１および天板２に取り付けることで組み立てる。つまり、底板１、天板２を形成するパイプ、支柱パイプ５、及び補助パイプ６全てを同じパイプを使用し、またほどんど加工せずに使用可能としたので作成費用・時間を低減できる。【選択図】        図１
2006232341.tif 000002
【特許請求の範囲】
【請求項１】
同径となる複数のパイプと、
上記同径のパイプを水平方向及び垂直方向に連結させる複数の連結金具とを備え、
上記パイプを連結金具にて水平方向に連結して底板枠と天板枠を形成し、
上記底板枠と天板枠とを対向させ、その間を連結金具にて垂直方向に支柱となるパイプを連結させることを特徴とする梱包ケース。
【請求項２】
底板枠と天板枠とを対向させ、その間を連結金具にて垂直方向に支柱となるパイプを連結させる場合に、予め連結金具の垂直方向に支柱となるパイプと連結するパイプを挿入しておき、
上記連結するパイプと支柱となるパイプとを嵌合させることを特徴とする請求項第１項に記載の梱包ケース。
【請求項３】
天板枠にパイプを保持するパイプホルダを設けたことを特徴とする請求項第１項乃至第２項の何れかに記載の梱包ケース。
【発明の詳細な説明】
【技術分野】
【０００１】
この発明は、例えば製品を梱包する梱包ケースに係わり、特に製品を取り出した後の部材を再利用できる梱包ケースに関するものである。
【背景技術】
【０００２】
従来の梱包ケースにおいては、梱包した製品を取り出し後も再利用できる構成になっているものがある（例えば、特許文献１参照）
【特許文献１】特開２００３−２３７７８０号公報
【発明の開示】
【発明が解決しようとする課題】
【０００３】
従来の梱包ケースは以上のように構成されているので、以下のような課題があった。
（１）上記梱包ケースでは、構成するパイプそのものに嵌合のための穴あけ・加工を必要とし、その分作成費用・時間をかかっていた。
（２）また、上記梱包ケースでは構成するパイプの種類・太さが使用箇所で異なるため、複数のパイプ部材を発注する必要があり、その分発注費用がかかっていた。
（３）上記梱包ケースを折り畳む場合、支柱を所定通りに組み合わせて所定穴に挿入する必要があり、折り畳み方が複雑であった。
【０００４】
この発明は上記のような問題点を解消するためになされたもので、同一のパイプを使用するとともにパイプそのものをほぼ加工せずにすみ、簡単に折り畳みができる梱包ケースを提供することを目的とする。
【課題を解決するための手段】
【０００５】
この発明に係わる梱包ケースは、同径となる複数のパイプと、上記同径のパイプを水平方向及び垂直方向に連結させる複数の連結金具とを備え、上記パイプを連結金具にて水平方向に連結して底板枠と天板枠を形成し、上記底板枠と天板枠とを対向させ、その間を連結金具にて垂直方向に支柱となるパイプを連結させるものである。
【発明の効果】
【０００６】
この発明によれば、梱包ケースは同径となる複数のパイプと、上記同径のパイプを水平方向及び垂直方向に連結させる複数の連結金具とを備え、上記パイプを連結金具にて水平方向に連結して底板枠と天板枠を形成し、上記底板枠と天板枠とを対向させ、その間を連結金具にて垂直方向に支柱となるパイプを連結させるので、同じ径のパイプで構成することができ、作成費用・時間を低減できる効果がある。
【発明を実施するための最良の形態】
【０００７】
実施の形態１．
以下、この発明の実施形態を説明する。図１はこの発明の実施の形態１に示す梱包ケースの使用状態を示す正面図、図２は図１の上面図である。図において１は底板、１ａは底板横パイプ、１ｃは底板支柱パイプ、２は天板、２ａは天板横パイプ、２ｂは天板縦パイプ、２ｃは天板支柱パイプ、２ｄは天板支柱嵌合部である。また、３はパイプホルダ、４はパイプ連結金具、５は支柱パイプ、５ａは支柱パイプ嵌合部、６は補助パイプ、７はフック、８は装置固定用チャネル、９は固定脚、１０は梱包製品である。また、図３は図１に示す梱包ケースの折り畳み状態を示す上面図である。尚、この梱包ケースで使用するパイプは全て同一のパイプで径が同じとする。
【０００８】
次に、底板１及び天板２の構成を説明する。底板１は底板横パイプ１ａと天板縦パイプ２ｂと同じ構成の底板縦パイプ１ｂ（図示せず）とがパイプ連結金具４によって連結して枠を形成する。また、対向する２辺の底板横パイプ１ａの上に梱包製品１０を固定する装置固定用チャネル８を設置している。また、天板２は天板横パイプ２ａと天板縦パイプ２ｂとがパイプ連結金具４によって連結して枠を形成する。また、対向する２辺の天板横パイプ２ａの上に支柱パイプ５及び補助パイプ６を固定するパイプホルダ３を設置している。
【０００９】
次に、この発明に示す梱包ケースの組み立て動作を説明する。最初に底板１の装置固定用チャネル９上に梱包製品１０を固定する。次に、底板支柱パイプ１ｃに支柱パイプ嵌合部５ａを差し込み、底板支柱パイプ１ｃと支柱パイプ５とを連結する。次に、支柱パイプ５に天板支柱嵌合部２ｄを差込み、支柱パイプ５の上に天板２を戴置する。次に、対向する底板横パイプ１ａと天板横パイプ２ａの各々にフック７を取り付けることで補助パイプ６を取り付ける。同様に、対向する底板縦パイプ１ｂと天板縦パイプ２ｂの各々にフック７を取り付けることで補助パイプ６を取り付ける。これにより、梱包ケースの組み立て動作は完了し、組み立て時は図１及び図２のような状態になる。
【００１０】
次に、梱包ケースの折り畳み動作を説明する。最初に補助パイプ６のフック７を底板横パイプ１ａ、底板縦パイプ１ｂ、天板横パイプ２ａ、天板横パイプ２ｂの各々からはずして補助パイプ７を取り外す。次に、支柱パイプ５から天板支柱嵌合部２ｄを引き抜いて、支柱パイプ５から天板２を取り外す。次に、底板支柱パイプ１ｃから支柱パイプ嵌合部５ａを引き抜いて、底板支柱パイプ１ｃから支柱パイプ５を取り外す。次に、梱包製品１０を装置固定用チャネル８より取り外す。次に、底板支柱パイプ１ｃに天板支柱嵌合部２ｄを差し込むことで底板１と天板２とを直接連結する。次に、取り外した４本の支柱パイプ５及び６本の補助パイプ６を各々パイプホルダ３に取り付ける。これにより、梱包ケースの折り畳み動作は完了し、折り畳み時は図３のような状態になる。
【００１１】
また、この梱包ケースは多段に積載可能となっている。図４は図１に示す梱包ケースを折り畳んだ状態で４段に積載したときの正面図である。固定足９は所定深さのパイプを挿入可能な穴を上下に有しており、天板支柱パイプ２ｃの上部と底板支柱パイプ１ｃの下部を連結する。また、これは梱包ケースが組み立て状態のときも連結可能とできる。
【００１２】
以上のような構成をした梱包ケースは以下のような効果を有する。
（１）底板１、天板２を形成するパイプ、支柱パイプ５、及び補助パイプ６全てを同じパイプを使用し、またほどんど加工せずに使用可能とさせたので作成費用・時間を低減できる。
（２）上記のとおり、同じパイプを使用しているので、底板１及び天板２に使用するパイプ連結金具４も同じものを使用することができ、作成費用・時間を低減できる。
（３）支柱パイプ５を底板支柱パイプ１ｃと天板支柱パイプ２ｃとの連結で行っているため、組み立てが簡単である。
（４）折り畳み時は支柱パイプ５及び補助パイプ６全てを図３に示すように、天板２に設けたパイプホルダ３上に取り付けるので、支柱パイプ５及び補助パイプ６が全てあるか確認しやすくなり、保守性が向上する。
【産業上の利用可能性】
【００１３】
この発明の活用例として監視カメラ等製品の梱包に利用できる。
【図面の簡単な説明】
【００１４】
【図１】この発明の実施の形態１に示す梱包ケースの使用状態を示す正面図である。
【図２】図１の上面図である。
【図３】図１に示す梱包ケースの折り畳み状態を示す上面図である。
【図４】図１に示す梱包ケースを折り畳んだ状態で４段に積載したときの正面図である。
【符号の説明】
【００１５】
１  底板
１ａ  底板横パイプ
１ｂ  底板縦パイプ
１ｃ  底板支柱パイプ
２    天板
２ａ  天板横パイプ
２ｂ  天板縦パイプ
２ｃ  天板支柱パイプ
２ｄ  天板支柱嵌合部
３    パイプホルダ
４    パイプ連結金具
５    支柱パイプ
５ａ  支柱パイプ嵌合部
６    補助パイプ
７    フック
８    装置固定用チャネル
９    固定足
【図１】
2006232341.tif 000003
【図２】
2006232341.tif 000004
【図３】
2006232341.tif 000005
【図４】
2006232341.tif 000006